(57)【要約】  本発明は、アクチュエータであって、ハウジング（１）と、コンタクトピン（５）を備えた点火エレメント（４）とが設けられており、ハウジング（１）内に、ピン（３）を備えたピストン（２）が、長手方向移動可能に挿入されており、コンタクトピン（５）が、ハウジング（１）の接続側（６）でハウジング（１）を越えて突出しており、ピストン（２）が、点火エレメント（４）の点火時に、形成された駆動ガスによって操作側（７）に向かって、ピン（３）が、操作側（７）でハウジング（１）を越えて突出するまで移動させられるようになっている形式のものに関する。より廉価な製作のためには、ハウジング（１）が、一体にかつ円筒状に形成されており、接続側（６）が、ハウジング（１）の端面（９）で円筒状のカバー（１０）によって該カバー（１０）の射出成形または接着により取り囲まれていることが提案される。
2010539401.tif 000002
【特許請求の範囲】
【請求項１】
アクチュエータであって、ハウジング（１）と、コンタクトピン（５）を備えた点火エレメント（４）とが設けられており、ハウジング（１）内に、ピン（３）を備えたピストン（２）が、長手方向移動可能に挿入されており、コンタクトピン（５）が、ハウジング（１）の接続側（６）でハウジング（１）を越えて突出しており、ピストン（２）が、点火エレメント（４）の点火時に、形成された駆動ガスによって操作側（７）に向かって、ピン（３）が、操作側（７）でハウジング（１）を越えて突出するまで移動させられるようになっている形式のものにおいて、ハウジング（１）が、一体にかつ円筒状に形成されており、接続側（６）が、ハウジング（１）の端面（９）で円筒状のカバー（１０）によって該カバー（１０）の射出成形または接着により取り囲まれていることを特徴とする、アクチュエータ。
【請求項２】
ハウジング（１）の外周面に接続側（６）で半径方向の拡張部（８）が配置されており、該拡張部（８）が、カバー（１０）の射出成形または接着により一緒に取り囲まれている、請求項１記載のアクチュエータ。
【請求項３】
点火エレメント（４）が、コンタクトピン（５）を除いてハウジング（１）内に接続側（６）で押し込まれている、請求項１または２記載のアクチュエータ。
【請求項４】
点火エレメント（４）の、コンタクトピン（５）が突出した底部（１１）が、ハウジング（１）の端面（９）に整合して形成されている、請求項１から３までのいずれか１項記載のアクチュエータ。
【請求項５】
アクチュエータの操作されていない状態において、ピストン（２）が、点火エレメント（４）に接触している、請求項１から４までのいずれか１項記載のアクチュエータ。
【請求項６】
ピストン（２）と点火エレメント（４）とが、同一の直径を有している、請求項１から５までのいずれか１項記載のアクチュエータ。
【請求項７】
ピストン（２）の直径が、点火エレメント（４）の直径よりも小さく寸法設定されている、請求項１から５までのいずれか１項記載のアクチュエータ。
【請求項８】
ハウジング（１）が、第１の孔（１２）と第２の孔（１３）とを有しており、第１の孔（１２）内に点火エレメント（４）が押し込まれており、第２の孔（１３）内に、ピン（３）を備えたピストン（２）が押し込まれており、第１の孔（１２）が、第２の孔（１３）よりも大きな直径を有しており、両孔（１２，１３）が、ハウジング（１）の長手方向（１４）において互いに隣接しており、これによって、点火エレメント（４）を支持する段付け部（１５）が形成されている、請求項７項記載のアクチュエータ。
【請求項９】
ピストン（２）の外周面に、全周にわたって延びる溝（１６）が配置されており、該溝（１６）内にシールリング（１７）が挿入されている、請求項１から８までのいずれか１項記載のアクチュエータ。
【請求項１０】
請求項１から９までのいずれか１項記載のアクチュエータを製作するための方法において、ハウジング（１）を接続側（６）でカバー（１０）によって該カバー（１０）の射出成形により取り囲む前に、ピストン（２）と点火エレメント（４）とをハウジング（１）内に押し込み、射出成形による取囲み時に点火エレメント（４）をコンタクトピン（５）において位置決めするか、またはピストン（２）を位置決めしかつ点火エレメント（４）をピストン（２）または段付け部（１５）に向かって押圧することを特徴とする、アクチュエータを製作するための方法。
【発明の詳細な説明】
【技術分野】
【０００１】
本発明は、アクチュエータであって、ハウジングと、コンタクトピンを備えた点火エレメントとが設けられており、ハウジング内に、ピンを備えたピストンが、長手方向移動可能に挿入されており、コンタクトピンが、ハウジングの接続側でハウジングを越えて突出しており、ピストンが、点火エレメントの点火時に、形成された駆動ガスによって操作側に向かって、ピンが、操作側でハウジングを越えて突出するまで移動させられるようになっている形式のものに関する。
【０００２】
さらに、本発明は、アクチュエータを製作するための方法に関する。
【０００３】
このような形式のアクチュエータでは、ハウジングが支持リングを有している。この支持リングは点火エレメントを支持している。これは、比較的手間をかけて製作されなければならないものの、大きな機械的な安定性の利点を有している。
【０００４】
本発明の課題は、公知先行技術によるアクチュエータを改良して、アクチュエータを廉価に製作することができるようにし、さらに、このアクチュエータを製作するための方法を提供することである。
【０００５】
この課題を解決するために本発明のアクチュエータでは、ハウジングが、一体にかつ円筒状に形成されており、接続側が、ハウジングの端面で円筒状のカバーによって該カバーの射出成形または接着により取り囲まれているようにした。
【０００６】
本発明のアクチュエータの有利な態様によれば、ハウジングの外周面に接続側で半径方向の拡張部が配置されており、該拡張部が、カバーの射出成形または接着により一緒に取り囲まれている。
【０００７】
本発明のアクチュエータの有利な態様によれば、点火エレメントが、コンタクトピンを除いてハウジング内に接続側で押し込まれている。
【０００８】
本発明のアクチュエータの有利な態様によれば、点火エレメントの、コンタクトピンが突出した底部が、ハウジングの端面に整合して形成されている。
【０００９】
本発明のアクチュエータの有利な態様によれば、アクチュエータの操作されていない状態において、ピストンが、点火エレメントに接触している。
【００１０】
本発明のアクチュエータの有利な態様によれば、ピストンと点火エレメントとが、同一の直径を有している。
【００１１】
本発明のアクチュエータの有利な態様によれば、ピストンの直径が、点火エレメントの直径よりも小さく寸法設定されている。
【００１２】
本発明のアクチュエータの有利な態様によれば、ハウジングが、第１の孔と第２の孔とを有しており、第１の孔内に点火エレメントが押し込まれており、第２の孔内に、ピンを備えたピストンが押し込まれており、第１の孔が、第２の孔よりも大きな直径を有しており、両孔が、ハウジングの長手方向において互いに隣接しており、これによって、点火エレメントを支持する段付け部が形成されている。
【００１３】
本発明のアクチュエータの有利な態様によれば、ピストンの外周面に、全周にわたって延びる溝が配置されており、該溝内にシールリングが挿入されている。
【００１４】
さらに、前述した課題を解決するために本発明の方法では、ハウジングを接続側でカバーによって該カバーの射出成形により取り囲む前に、ピストンと点火エレメントとをハウジング内に押し込み、射出成形による取囲み時に点火エレメントをコンタクトピンにおいて位置決めするか、またはピストンを位置決めしかつ点火エレメントをピストンまたは段付け部に向かって押圧するようにした。
【００１５】
本発明によって、公知先行技術において慣用であるような支持リングが不要となる。部材数が減少させられている。
【００１６】
ハウジングの外周面には、接続側において、有利には半径方向の拡張部が配置されている。この拡張部はカバーの射出成形または接着により一緒に取り囲まれている。これによって、カバーがハウジングに固く位置固定されている。
【００１７】
点火エレメントは、有利にはコンタクトピンを除いてハウジング内に接続側で押し込まれている。
【００１８】
本発明による１つの態様では、点火エレメントの、コンタクトピンが突出した底部が、ハウジングの端面に整合して形成されている。この事例では、点火エレメントの底部がハウジングの端面と共に１つの面を形成している。
【００１９】
有利には、アクチュエータの操作されていない状態において、ピストンが点火エレメントに接触している。点火エレメントがまだ作動させられていない引渡し状態が、「操作されていない状態」と呼ばれる。
【００２０】
１つの態様では、ピストンと点火エレメントとが同一の直径を有している。
【００２１】
別の態様では、ピストンの直径が点火エレメントの直径よりも小さく寸法設定されている。
【００２２】
この場合、有利には、ハウジングが第１の孔と第２の孔とを有している。第１の孔内には、点火エレメントが押し込まれており、第２の孔内には、ピンを備えたピストンが押し込まれている。この場合、第１の孔は第２の孔よりも大きな直径を有している。両孔はハウジングの長手方向において互いに隣接している。これによって、点火エレメントを支持する段付け部が形成されている。
【００２３】
有利には、ピストンの外周面に、全周にわたって延びる溝が配置されている。この溝内には、シールリングが挿入されている。
【００２４】
アクチュエータを製作するための本発明による方法は、ハウジングを接続側でカバーによって該カバーの射出成形により取り囲む前に、ピストンと点火エレメントとをハウジング内に押し込み、射出成形による取囲み時に点火エレメントをコンタクトピンにおいて位置決めするか、またはピストンを位置決めしかつ点火エレメントをピストンまたは段付け部に向かって押圧することによって特徴付けられている。
【図面の簡単な説明】
【００２５】
【図１】本発明によるアクチュエータの１つの実施形態の縦断面図である。
【図２】本発明によるアクチュエータの択一的な実施形態の縦断面図である。
【００２６】
以下に、本発明を２つの図面につき詳しく説明する。
【００２７】
図１には、縦断面図で本発明によるアクチュエータの１つの実施形態が示してある。このアクチュエータは一体の円筒状のハウジング１を備えている。「一体」とは、本明細書全体において常にカバー１０なしのハウジング１にしか適用されない。
【００２８】
ハウジング１はその接続側６で開放しており、これによって、ピン３を備えたピストン２が押込み可能となる。このピストン２はハウジング１の内径と同じ直径を有している。操作側７では、ハウジング１の端面に孔が加工されている。この孔内には、ピン３がガイドされている。ピストン２はその外周面に、全周にわたって延びる溝１６を有している。この溝１６内には、それぞれ１つのシールリング１７が嵌め込まれており、これによって、ピストン２がハウジング１内にシールされてガイドされている。ピストン２がその始端位置（この始端位置しか図１には示していない）から終端位置に移動させられると、同時にピン３も移動させられる。このピン３はハウジング１の内径よりも小さな直径を有しており、これによって、ピン３がピストン２の終端位置ではハウジング１を越えて突出している。このことは、１回の過程の機械的な作動のために使用される。
【００２９】
操作側７から見てピストン２の背後では、点火エレメント４がハウジング１内に押し込まれている。点火エレメント４の端面はピストン２に接触している。点火エレメント４の底部１１から、２つのコンタクトピン５が突出している。両コンタクトピン５は、点火エレメント４への点火電流の案内のために働く。この点火エレメント４が点火電流によって作動させられると、ピストン２ひいてはピン３を接続側６から操作側７に向かって移動させる駆動ガスが形成される。この結果として、ピン３がハウジング１を越えて突出する。このことは、制御のために使用される。
【００３０】
点火エレメント４の底部１１は、ハウジング１の端面９に整合して形成されており、これによって、コンタクトピン５しかハウジング１を越えて突出していない。ハウジング１を閉鎖するためには、接続側６を取り囲むカバー１０が設けられている。このカバー１０はハウジング１の接続側６を取り囲むように射出成形されるかまたは接着される。
【００３１】
カバー１０が固定されているようにするためには、接続側６でハウジング１の外周面に半径方向の拡張部８が配置されている。この拡張部８は、たとえば外周面に全周にわたって形成されている。したがって、接続側６がハウジング１の端面９および拡張部８で円筒状のカバー１０によって射出成形または接着により取り囲まれている。コンタクトピン５しかカバー１０を越えて突出していない。
【００３２】
したがって、図１に示したアクチュエータは４つの部材、つまり、ハウジング１、ピン３を備えたピストン２、点火エレメント４およびカバー１０からしか成っていない。これによって、アクチュエータを廉価に製作することができる。
【００３３】
図２には、縦断面図で本発明によるアクチュエータの択一的な実施形態が示してある。ここでは、ハウジング１が、第１の孔１２と第２の孔１３とを有している。第１の孔１２内には、点火エレメント４が押し込まれており、第２の孔１３内には、ピン３を備えたピストン２が押し込まれている。この場合、第１の孔１２は第２の孔１３よりも大きな直径を有している。両孔１２，１３はハウジング１の長手方向１４において互いに隣接している。これによって、点火エレメント４を支持する段付け部１５が形成されている。拡張部８およびカバー１０に関して、この実施形態は、図１に示した実施形態と同一である。
【００３４】
以下に、前述したアクチュエータを製作するための方法を２つの択一形態で説明する。両択一形態では、第１の方法ステップにおいて、射出成形によるカバー１０での取囲み前にピストン２と点火エレメント４とがハウジング１内に押し込まれる。
【００３５】
その後、射出成形による取囲み時に（図１に示したアクチュエータを製作するために）点火エレメント４がコンタクトピン５において位置決めされ、その後、ハウジング１がカバー材料の射出成形によりカバー１０で取り囲まれるか、または（図２に示したアクチュエータを製作するために）ピストン２が位置決めされ、かつ点火エレメント４がピストン２または段付け部１５に向かって押圧され、その後、ハウジング１がカバー材料の射出成形によりカバー１０で取り囲まれる。
【符号の説明】
【００３６】
１  ハウジング
２  ピストン
３  ピン
４  点火エレメント
５  コンタクトピン
６  接続側
７  操作側
８  拡張部
９  端面
１０  カバー
１１  底部
１２  第１の孔
１３  第２の孔
１４  長手方向
１５  段付け部
１６  溝
１７  シールリング
【図１】
2010539401.tif 000003
【図２】
2010539401.tif 000004
【国際調査報告】
2010539401.tif 000005
2010539401.tif 000006
2010539401.tif 000007
2010539401.tif 000008